(57)【要約】【課題】椅子に長時間着座したときの疲労を軽減する効果が高く、使用者に窮屈さを感じさせない足載せ台を提供する。【解決手段】左右別々に構成され、左右の足を載せる足載せ部１０、１０と、足載せ部１０、１０を支持するとともに足載せ部１０、１０を左右方向に揺動させる脚部２０、２０とを備え、脚部２０、２０は、床と接する面が円弧上に湾曲した構成とした。椅子への着座時に左右の足を連動してリズミカルに揺動させることができ、使用者の疲労を軽減することができる。使用者に窮屈さを感じさせることもない。【選択図】図１
2016101193.tif 000002
【特許請求の範囲】
【請求項１】
椅子に着座した状態で両足を載せる揺動足載せ台であって、
左右の足を載せる足載せ部と、
前記足載せ部を支持するとともに該足載せ部を左右方向に揺動させる脚部と、
を備えた椅子用揺動足載せ台。
【請求項２】
前記脚部は、床と接する面が円弧上に湾曲している請求項１に記載の椅子用揺動足載せ台。
【請求項３】
前記足載せ部は、左右別々に構成されている請求項２に記載の椅子用揺動足載せ台。
【発明の詳細な説明】
【技術分野】
【０００１】
本発明は、椅子に着座した状態で両足を載せる揺動足載せ台に関するものである。
【背景技術】
【０００２】
椅子に長時間着座したときの疲労を軽減する足載せ台として、左右別々に構成された足載せ板を内側に傾斜させたものが提案されている（特許文献１）。
【０００３】
しかし、これは着座時に股が広がらないよう外から矯正しようとするものであり、使用者にとって窮屈さを感じさせるものであった。
【先行技術文献】
【特許文献】
【０００４】
【特許文献１】実登３１１６６８５号公報
【発明の概要】
【発明が解決しようとする課題】
【０００５】
本発明は、このような事情に鑑みてなされたものであり、使用者に窮屈さを感じさせず、疲労軽減効果が高い椅子用揺動足載せ台を提供することを目的としている。
【課題を解決するための手段】
【０００６】
発明者は、足の動きを制限するのではなく、むしろ適度に動かすことで着座時の疲労を軽減できるのではないかと考えた。そして、鋭意実験を重ねた結果、左右の足を連動してリズミカルに揺動させることが疲労軽減に効果的であることを発見し、本発明を完成するに至ったものである。
【０００７】
すなわち、本発明は、椅子に着座した状態で両足を載せる揺動足載せ台であって、左右の足を載せる足載せ部と、足載せ部を支持するとともに足載せ部を左右方向に揺動させる脚部とを備えたものである。
【０００８】
本発明を使用すると、座る姿勢が良くなったと感じたり、体が軽くなったと感じたりし、疲労が軽減できたことを実感できる。その原理は詳細には明らかになっていないが、発明者は、左右の足を連動してリズミカルに揺動させることで、骨盤、股関節周辺の筋肉の緊張が和らぐためではないかと考えている。
【０００９】
また、本発明では、脚部は、床と接する面が円弧上に湾曲していることが望ましい。このようにすることで、両足をリズミカルに揺動させ易くなる。その理由は詳細には明らかではないが、揺動の支点が中央から左右に移動するため、一方の足の踏み込み量と他方の足の跳ね上がり量が同量ではなくなり、それが、左右の足の踏み替えをし易くしているのではないかと発明者は考えている。
【００１０】
また、本発明では、足載せ部は、左右別々に構成されていることが望ましい。このように、重量物を左右に振り分けると揺動に対する慣性力が大きくなり、より両足をリズミカルに揺動させ易くなる。その理由は詳細には明らかではないが、左右の踏み替え時の抵抗感が増加することで、左右の足の踏み替えをし易くしているのではないかと発明者は考えている。
【発明の効果】
【００１１】
本発明によれば、椅子に長時間着座したときの疲労を軽減することができる。
【図面の簡単な説明】
【００１２】
【図１】第一の実施形態に係る椅子用揺動足載せ台の全体斜視図である。
【図２】第二の実施形態に係る椅子用揺動足載せ台の全体斜視図である。
【発明を実施するための形態】
【００１３】
以下、本発明である椅子用揺動足載せ台を具現化した実施形態について、図面を用いて説明するが、本発明の技術的範囲は、もちろんこれだけに限定されるものではない。
【００１４】
（第一の実施形態）
まず、第一の実施形態である椅子用揺動足載せ台１の構成について、図１を参照して説明する。椅子用揺動足載せ台１は、図１に示すように、足載せ部１０、１０と、足載せ部１０、１０の下方で足載せ部１０、１０を支持する脚部２０、２０とで構成されている。
【００１５】
足載せ部１０、１０は、平面視長方形の木製板状部材であり、本実施形態では、長手方向２３ｃｍ×短手方向１１ｃｍ×厚さ２ｃｍである。足載せ部１０は、足の大きさよりも大きい必要はない。
【００１６】
脚部２０は、木製で床面と接する面が円弧上に湾曲しており、中央付近は足載せ部と接する部分よりも薄くなっている。このような構成にすることによって、全体の質量分布曲線を描いた場合、左右に山が生じるようにし、揺動に対する慣性力を大きくしている。
【００１７】
つぎに、椅子用揺動足載せ台１の使用方法について説明する。椅子用揺動足載せ台１を椅子の前方床に置く。使用者は、椅子に着座し、左右の足を足載せ部１０、１０に載せ、左右の足をリズミカルに交互に踏み込む。踏み込むスピードは、特に規定するものではなく使用者が心地よく感じるスピードであればよい。スピードを上げるのが目的ではなく、あくまでもリラックス（脱力）した状態で使用する。使用頻度及び一回の使用時間も特に規定するものではなく、使用者が疲れを感じた時に好みの時間使用すればよい。
【００１８】
ほとんどの使用者は、使用時に座る姿勢が良くなったと感じ、体が軽くなったと感じる。このように疲労が軽減できたことを実感できる。発明者は、その原理を左右の足を連動してリズミカルに揺動させることで、骨盤、股関節周辺の筋肉の緊張が和らぐためではないかと考えている。
【００１９】
また、多くの使用者は、椅子から立ち上がった時に歩きがスムーズになったと感じる。これは、長時間着座した後に椅子用揺動足載せ台１を使用した者だけでなく、そうでない者も感じることである。このことから、発明者は、骨盤、股関節周辺の筋肉の緊張が和らぐことで、骨盤から背骨さらには頭蓋骨へと骨格が整っていくのではないかとも考えている。このことから、発明者は、本発明がスポーツ、学校体育、リハビリ、介護等の分野にも適用できるのではないかと考えている。
【００２０】
また、本発明の副次的な効果として、イライラを解消させることも期待できる。近年、いわゆる貧乏ゆすりがストレス解消手段の一つであることがわかってきたが、本発明では、貧乏ゆすりと同様に足を小刻みに上下運動させるため、足元からの刺激が中枢神経に伝わり、イライラや緊張を緩和させることができると考えられるからである。
【００２１】
（第二の実施形態）
つぎに、第二の実施形態である椅子用揺動足載せ台２の構成について、図２を参照して説明する。椅子用揺動足載せ台２は、図２に示すように、足載せ部２１０と、足載せ部２１０の下方で足載せ部２１０を支持する脚部２２０、２２０とで構成されている。
【００２２】
足載せ部２１０は、平面視長方形の木製板状部材であり、本実施形態では、長手方向４４ｃｍ×短手方向２３ｃｍ×厚さ１ｃｍである。
【００２３】
脚部２０は、木製板状部材であり、床面と接する面が円弧上に湾曲している。
【００２４】
椅子用揺動足載せ台２の使用方法は、椅子用揺動足載せ台１と同様である。
【００２５】
上述した内容は、あくまでも本発明の一実施形態に関するものであって、本発明が上記内容に限定されることを意味するものではない。例えば、本実施形態では、脚部の床面と接する面が円弧上に湾曲していることで左右方向への揺動を可能にしているが、回転軸を設けたり、板ばねを用いたりしてもよいことはもちろんである。
また、本実施形態で記載されている数値（寸法）及び材質は、これに限られるものでなく、適宜変更する設計的な事項である。
【符号の説明】
【００２６】
１椅子用揺動足載せ台（第一の実施形態）
２椅子用揺動足載せ台（第二の実施形態）
１０ 足載せ部
２０ 脚部
２１０足載せ部
２２０脚部
【図１】
2016101193.tif 000003
【図２】
2016101193.tif 000004